【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
活性化されたメチレン基またはメチン基中の酸性プロトンＣ−Ｈを少なくとも２つ有する反応性成分Ａと、活性化された不飽和Ｃ＝Ｃ基を少なくとも２つ有する反応性成分Ｂと、成分Ａと成分Ｂとの間でのＲＭＡ架橋反応を触媒するための触媒Ｃと、任意選択で反応性緩和剤Ｄと、任意選択で有機溶媒Ｔと、を含むＲＭＡ架橋性コーティング組成物の基材表面への接着を改善するための接着促進剤Ｐの使用であって、
前記接着促進剤Ｐは、成分Ａまたは成分Ｂと反応できる１つ以上の官能基Ｘまたはその前駆体を含む部分と、アルコキシシラン基ではない前記基材表面に吸着するか、それと反応する、１つ以上の官能基Ｙまたはその前駆体を含む部分と、を含む、
接着促進剤Ｐの使用。
【請求項２】
前記１つ以上の官能基Ｘは、成分Ａが主にマロネートもしくはアセトアセテートである架橋性成分と成分Ｂがアクリロイルである架橋性成分とを含むＲＭＡ架橋性組成物における使用のために、マロネートもしくはアセトアセテートと、および／またはアクリロイルと、反応できる、請求項１の接着促進剤の使用。
【請求項３】
ＲＭＡ架橋性成分の成分Ａまたは成分Ｂと反応できる前記１つ以上の官能基Ｘは、前記架橋性成分中の、一級アミンもしくは二級アミン、チオール、イソシアネート、エポキシ、またはＲＭＡ反応性成分Ａ’もしくはＢ’であり、前記架橋性成分中のＲＭＡ反応性成分Ａおよび／またはＢと同じであるか異なっている、請求項１または２の接着促進剤の使用。
【請求項４】
前記官能基Ｘのうちの１つ以上は、水分で脱ブロックできるＸの前駆体である、請求項１〜３のいずれか１項の接着促進剤の使用。
【請求項５】
前記１つ以上の官能基Ｙは、窒素含有複素環基、または極性官能基である、請求項１〜５のいずれか１項の接着促進剤の使用。
【請求項６】
前記窒素含有複素環基は、ピリジン、イミダゾール、環状アミド、ピロリドン、モルホリン、トリアゾール、ベンゾトリアゾールまたは環状尿素という群から選択される複素環基を含み、前記極性官能基は、アルコール、ジオール、トリオール、アミドおよび尿素または置換された尿素という群から選択される、請求項５の接着促進剤の使用。
【請求項７】
前記接着促進剤Ｐにおいて、前記１つ以上の官能基Ｘは、多官能性の反応性成分Ｂ’であり、前記１つ以上の官能基Ｙは、複素環官能基または極性官能基であるか、または前記接着促進剤Ｐにおいて、前記１つ以上の官能基Ｘは、多官能性の反応性成分Ａ’であり、前記１つ以上の官能基Ｙは、複素環官能基または極性官能基である、請求項１〜６のいずれか１項の接着促進剤の使用。
【請求項８】
前記接着促進剤Ｐは、ポリアクリロイルと、イミダゾール、トリアゾールまたはベンゾトリアゾールとの反応生成物であるか、または、前記接着促進剤Ｐは、官能基Ｚがアミンである接着促進剤Ｐと多官能性アセトアセテートとの反応生成物である、請求項７の接着促進剤の使用。
【請求項９】
前記接着促進剤Ｐは、トリアクリロイルまたはテトラアクリロイルと、イミダゾール、トリアゾールまたはベンゾトリアゾールとの反応生成物であるか、または、前記接着促進剤Ｐは、三官能性アセトアセテートとアミノメチルピリジンとの反応生成物である、請求項８の接着促進剤の使用。
【請求項１０】
１つ以上の官能基Ｙの前駆体を含む、請求項１〜９のいずれか１項の接着促進剤の使用。
【請求項１１】
複素環化合物である、請求項１または２の接着促進剤の使用であって、官能基Ｙおよび官能基Ｘが前記複素環化合物中の部分であり、この官能基Ｘは、前記ＲＭＡコーティング組成物の硬化条件において前記架橋性成分の反応性成分Ｂと反応してイミダゾール、トリアゾールまたはベンゾトリアゾールではない接着成分Ｂ−Ｙをインサイチュで形成する、接着促進剤の使用。
【請求項１２】
請求項１〜１１のいずれか１項の接着促進剤の使用であって、触媒ＣはＣＯ２でブロックされた触媒であり、前記架橋性成分中の反応性成分Ａはマロネートである、接着促進剤の使用。
【請求項１３】
ＲＭＡ架橋性コーティング組成物の基材表面への接着を改善するための接着促進剤としてのトリアゾール、ベンゾトリアゾールまたはイミダゾールの使用。
【請求項１４】
（ａ）活性化されたメチレン基またはメチン基（ＲＭＡドナー基）中の酸性プロトンＣ−Ｈを少なくとも２つ有する反応性成分Ａを含む架橋性成分と、
（ｂ）活性化された不飽和基（ＲＭＡアクセプター基）を少なくとも２つ有する反応性成分Ｂを含む架橋性成分と、
（ｃ）反応性成分ＡとＢとの間でのＲＭＡ反応を活性化できる触媒Ｃと、
（ｄ）トリアゾール、ベンゾトリアゾールまたはイミダゾールを含まない、請求項１〜１３のいずれか１項の１つ以上の接着促進剤と、
（ｅ）任意選択で反応性緩和剤成分Ｄと、
（ｆ）任意選択で有機溶媒または有機溶媒の混合物と、
（ｇ）任意選択で顔料と、
（ｈ）任意選択で水と、
を含むＲＭＡ架橋性組成物。
【請求項１５】
接着促進剤Ｐの重量は、接着促進剤Ｐと前記反応性成分Ａ’またはＢ’との付加物の場合には反応性成分Ａ’またはＢ’の重量を含まないが、前記架橋性成分の総重量に対して０．１〜１０重量％である、請求項１４に記載のＲＭＡ架橋性組成物。
【請求項１６】
前記成分Ａ、Ｂ、Ｃならびに任意選択の成分ＤおよびＴのうちの１つ以上を含む２つ以上のパーツを含むパーツのキットという形態である、請求項１４または１５に記載のＲＭＡ架橋性組成物であって、
（ａ）少なくとも１つのパーツは、触媒Ｃを含むがＡおよびＢを両方とも含むことはなく、
（ｂ）少なくとも１つのパーツは、触媒Ｃおよび、成分Ａ、Ｂ、Ｃまたは任意選択の成分Ｄ、Ｔまたはさらなるコーティング添加剤のうちの１つ以上を含まず、
（ｃ）前記キットのパーツのうちの１つ以上は、請求項１〜１１のいずれか１項の接着促進剤Ｐのうちの１つ以上を含む、
ＲＭＡ架橋性組成物。
【請求項１７】
基材表面上への接着が改善されたＲＭＡ架橋型コーティングを塗布するための方法であって、
（ａ）請求項１６のパーツのキットの全てのパーツ、および任意選択でさらなるコーティング添加剤、を塗布直前に、混合することによってＲＭＡ架橋性組成物を調製することと、
（ｂ）任意選択でプライマー層を設けられていてもよい、金属表面でありうる、前記基材表面上に前記ＲＭＡ架橋性組成物を塗布することと、
（ｃ）前記ＲＭＡ架橋性組成物を硬化させることと、
を含む方法。
【手続補正２】
【補正対象書類名】明細書
【補正対象項目名】００８６
【補正方法】変更
【補正の内容】
【００８６】
本明細書に記載される構造および技術に対し、本発明の趣旨および範囲から逸脱することなく、上記で説明されるものに加えてさらなる改変を行うことができる。従って、特定の実施形態が説明されているが、これらは単なる例に過ぎず、本発明の範囲を限定するものではない。
以下において、本願の出願当初の特許請求の範囲に記載した発明を付記する。
［１］  活性化されたメチレン基またはメチン基中の酸性プロトンＣ−Ｈを少なくとも２つ有する反応性成分Ａと、活性化された不飽和Ｃ＝Ｃ基を少なくとも２つ有する反応性成分Ｂと、成分Ａと成分Ｂとの間でのＲＭＡ架橋反応を触媒するための触媒Ｃと、任意選択で反応性緩和剤Ｄと、任意選択で有機溶媒Ｔと、を含む１つ以上の架橋性成分を含むＲＭＡ架橋性コーティング組成物の基材表面への接着を改善するための接着促進剤Ｐであって、
前記接着促進剤Ｐは、成分Ａまたは成分Ｂと反応できる１つ以上の官能基Ｘまたはその前駆体を含む部分と、アルコキシシラン基ではない前記基材表面に吸着するか、それと反応する、１つ以上の官能基Ｙまたはその前駆体を含む部分と、を含む、
接着促進剤Ｐ。
［２］  官能基Ｙは、前記基材表面上に吸着するが、反応して共有結合を形成することはない、［１］の接着促進剤。
［３］  官能基ＸもしくはＹまたはその両方は、分子からぶら下がっている官能基であるか、または分子内の部分である、［１］〜［２］の接着促進剤。
［４］  前記１つ以上の官能基Ｘは、成分Ａが主にマロネートもしくはアセトアセテート、好ましくはマロネート、である架橋性成分と成分Ｂがアクリロイルである架橋性成分とを含むＲＭＡ架橋性組成物における使用のために、マロネートもしくはアセトアセテートと、および／またはアクリロイルと、反応できる、［１］〜［３］の接着促進剤。
［５］  ＲＭＡ架橋性成分の成分Ａまたは成分Ｂと反応できる前記１つ以上の官能基Ｘは、一級アミンもしくは二級アミン、チオール、イソシアネート、エポキシ、またはＲＭＡ反応性成分Ａ’もしくはＢ’であり、好ましくは一級アミンもしくは二級アミン、チオール、またはＲＭＡ反応性成分Ａ’もしくはＢ’である、［１］〜［４］の接着促進剤。
［６］  前記１つ以上の官能基Ｘは、前記架橋性成分中のＲＭＡ反応性成分Ａおよび／またはＢと同じであるか異なっているＲＭＡ反応性成分Ａ’またはＢ’である、［５］の接着促進剤。
［７］  前記官能基Ｘのうちの１つ以上は、水分で脱ブロックできるＸの前駆体である、［１］〜［５］の接着促進剤。
［８］  前記水分で脱ブロックできる官能基Ｘの前駆体は、水分で脱ブロックできる一級アミンまたは二級アミンであり、好ましくはケチミン、アルジミンまたはオキサゾリジンである、［７］の接着促進剤。
［９］  前記１つ以上の官能基Ｙは、複素環基、好ましくは窒素含有複素環基、または極性官能基である、［１］〜［８］の接着促進剤。
［１０］  １つ以上の官能基Ｙは、ピリジン、イミダゾール、環状アミド、ピロリドン、モルホリン、トリアゾール、ベンゾトリアゾールまたは環状尿素という群から選択される複素環基である、［９］の接着促進剤。
［１１］  １つ以上の官能基Ｙは、アルコール、ジオール、トリオール、アミドおよび尿素または置換された尿素という群から選択される極性官能基である、［９］の接着促進剤。
［１２］  １つ以上の官能基Ｘは、官能基Ｙを含む部分に架橋基Ｒを介して任意選択で連結されていてもよい、一級アミンもしくは二級アミン、チオール、イソシアネート、エポキシ、またはＲＭＡ反応性成分Ａ’もしくはＢ’であり、前記１つ以上の官能基Ｙは、複素環官能基または極性官能基を含む、
［１］〜［１１］の接着促進剤。
［１３］  １つ以上の官能基Ｘは、多官能性の反応性成分Ｂ’であり、１つ以上の官能基Ｙは、複素環官能基または極性官能基である、［１］〜［１２］の接着促進剤。
［１４］  多官能性の反応性成分Ｂ’と複素環官能基との反応生成物である、［１３］の接着促進剤であって、前記反応生成物は、官能基Ｘとしての１つ以上の反応性成分Ｂ’と官能基Ｙとしての１つ以上の複素環官能基とを含む、接着促進剤。
［１５］  ポリアクリロイル、好ましくはトリアクリロイルまたはテトラアクリロイル、とイミダゾール、トリアゾールまたはベンゾトリアゾールとの反応生成物である、［１４］の接着促進剤。
［１６］  １つ以上の官能基Ｘは、多官能性の反応性成分Ａ’であり、１つ以上の官能基Ｙは、複素環官能基または極性官能基である、［１］〜［１２］の接着促進剤。
［１７］  官能基Ｘがアミンである接着促進剤Ｐと多官能性アセトアセテートとの反応生成物である［１６］の接着促進剤であって、前記反応生成物は、接着促進剤Ｐにエナミン結合を介して結合した官能基Ｘとしてのアセトアセテート基を含む、接着促進剤。
［１８］  多官能性アセトアセテート、好ましくは三官能性アセトアセテート、とアミノメチルピリジンとの反応生成物である、［１７］の接着促進剤。
［１９］  １つ以上の官能基Ｙの前駆体、好ましくは水分で脱ブロックできる前駆体、特にオキサゾリジン、イソシアネートおよび、ジオールの前駆体としてのケタール、アセタール、オルトエステルまたはエポキシ、を含む、［１］〜［８］の接着促進剤。
［２０］  複素環化合物である、［１］〜［４］の接着促進剤であって、官能基Ｙおよび官能基Ｘが前記複素環化合物中の部分であり、この官能基Ｘは、前記ＲＭＡコーティング組成物の硬化条件において前記架橋性成分の反応性成分Ｂと反応してイミダゾール、トリアゾールまたはベンゾトリアゾールではない接着成分Ｂ−Ｙをインサイチュで形成する、接着促進剤。
［２１］  活性化されたメチレン基またはメチン基中の酸性プロトンＣ−Ｈを少なくとも２つ有する反応性成分Ａと、活性化された不飽和Ｃ＝Ｃ基を少なくとも２つ有する反応性成分Ｂと、成分Ａと成分Ｂとの間でのＲＭＡ架橋反応を触媒するための触媒Ｃと、任意選択で反応性緩和剤Ｄと、任意選択で有機溶媒Ｔと、を含む１つ以上の架橋性成分を含むＲＭＡ架橋性コーティング組成物の基材表面への接着を改善するための、［１］〜［２０］のいずれか１項の接着促進剤の使用であって、
触媒Ｃは、好ましくは、ＣＯ２でブロックされた触媒であり、
前記架橋性成分中の反応性成分Ａは、好ましくは、主にマロネートである、
使用。
［２２］  ＲＭＡ架橋性コーティング組成物の基材表面への接着を改善するための接着促進剤としてのトリアゾール、ベンゾトリアゾールまたはイミダゾールの使用。
［２３］  （ａ）活性化されたメチレン基またはメチン基（ＲＭＡドナー基）中の酸性プロトンＣ−Ｈを少なくとも２つ有する反応性成分Ａ（好ましくは主にマロネートまたはアセトアセテート）を含む架橋性成分と、
（ｂ）活性化された不飽和基（ＲＭＡアクセプター基）を少なくとも２つ有する反応性成分Ｂ（好ましくは主にアクリロイルまたはマレエート）を含む架橋性成分と、
（ｃ）反応性成分ＡとＢとの間でのＲＭＡ反応を活性化できる触媒Ｃ（好ましくは二酸化炭素でブロックされた強塩基触媒）と、
（ｄ）１つ以上の［１］〜［２０］の接着促進剤と、
（ｅ）任意選択で反応性緩和剤成分Ｄと、
（ｆ）任意選択で有機溶媒または有機溶媒の混合物（より好ましくは反応性溶媒）と、
（ｇ）任意選択で顔料と、
（ｈ）任意選択で水（好ましくは組成物の総重量に対して５、２または１重量％未満の水）と、
を含むＲＭＡ架橋性組成物。
［２４］  触媒Ｃの作用の下で成分Ｂと反応できるマイケル付加のドナーでもあるＸ−Ｈ基含有成分Ｄを含む、［２３］のＲＭＡ架橋性組成物であって、
ＸはＮ、Ｐ、Ｓであるか、またはＸは酸性メチル（ＣＨ３）基の一部としてのＣであり、
成分Ａは主にマロネートまたはアセトアセテートであり、
成分ＤのＸ−Ｈ基は、成分Ａ中のＣ−Ｈ基よりも高い酸性度を有し、成分Ｄが成分Ａ中のＣ−Ｈ基のものよりも少なくとも１単位低いｐＫａ（水性環境中で定義）を有することを特徴とする、
ＲＭＡ架橋性組成物。
［２５］  接着促進剤Ｐの重量は、接着促進剤Ｐと前記反応性成分Ａ’またはＢ’との付加物の場合には反応性成分Ａ’またはＢ’の重量を含まないが、前記架橋性成分の総重量に対して０．１〜１０重量％、好ましくは０．２〜５重量％、より好ましくは０．５〜４重量％、最も好ましくは１〜２重量％、である、［２３］または［２４］に記載のＲＭＡ架橋性組成物。
［２６］  Ｃ＝Ｃ対Ｃ＝Ｃ反応性基（Ａ中のＣ−Ｈ、接着促進剤Ｐ中の官能基ＸおよびＤ中の基Ｘ−Ｈを含む）のモル比が０．３〜３、好ましくは０．５〜２、さらにより好ましくは０．７５〜１．５、である、［２３］〜［２５］に記載のＲＭＡ架橋性組成物。
［２７］  前記成分Ａ、Ｂ、Ｃならびに任意選択の成分ＤおよびＴのうちの１つ以上を含む２つ以上のパーツを含むパーツのキットという形態である、［２３］〜［２６］に記載のＲＭＡ架橋性組成物であって、
（ａ）少なくとも１つのパーツは、触媒Ｃを含むがＡおよびＢを両方とも含むことはなく、好ましくはＡもＢも含まず、
（ｂ）少なくとも１つのパーツは、触媒Ｃおよび、成分Ａ、Ｂ、Ｃまたは任意選択の成分Ｄ、Ｔまたはさらなるコーティング添加剤のうちの１つ以上を含まず、
（ｃ）前記キットのパーツのうちの１つ以上は、［１］〜［２０］の接着促進剤Ｐのうちの１つ以上を含む、
ＲＭＡ架橋性組成物。
［２８］  ［２３］〜［２６］に記載のＲＭＡ架橋性組成物における使用のためのプレミックスであって、触媒Ｃを含み、実質的にＡもＢも含まず、Ｔを含み、［１］〜［２０］の接着促進剤Ｐのうちの１つ以上を含み、好ましくはＣ、ＴおよびＰだけを含む、プレミックス。
［２９］  基材表面上への接着が改善されたＲＭＡ架橋型コーティングを塗布するための方法であって、
（ａ）［２７］のパーツのキットの全てのパーツ、および任意選択でさらなるコーティング添加剤、を塗布直前に、好ましくは塗布前の１０時間または５時間未満以内に、混合することによってＲＭＡ架橋性組成物を調製することと、
（ｂ）任意選択でプライマー層を設けられていてもよい前記基材表面上に前記ＲＭＡ架橋性組成物を塗布することと、
（ｃ）前記ＲＭＡ架橋性組成物を硬化させることと、
を含む方法。
［３０］  前記基材は金属である、［２９］の方法。
［３１］  金属への直接的な接着を改善するための［２９］〜［３０］の方法であって、
前記金属の表面は、化学的に処理および改質されてもよいが、ポリマーバインダーを含むプライマー層で被覆されなくてもよい、
方法。